(57)【要約】【課題】  液晶ディスプレイ等の電子機器の水平方向の角度調整が可能なラックマウントを提供するとともに、ラックマウントを付帯する電子機器を提供することを目的とするものである。【解決手段】  システムラック５に電子機器６を搭載するラックマウント７であって、ラックマウント７が、システムラック５の左右両側の前支柱間に電子機器６を設置するための一対のラック固定用ブラケット８と、電子機器６を、電子機器６の側端部の何れかを基準として水平方向に回動させるパン機構とを備えたものである。【選択図】  図１
2006332484.tif 000002
【特許請求の範囲】
【請求項１】
システムラックに電子機器を搭載するラックマウントであって、
前記ラックマウントが、前記システムラックの左右両側の前支柱間に前記電子機器を設置するための一対のラック固定用ブラケットと、
該電子機器の側端部の何れかを基準として、該電子機器を水平方向に回動させるパン機構とを備えたことを特徴とするラックマウント。
【請求項２】
前記パン機構が、前記ラック固定用ブラケットに前記電子機器を回動自在に連結するためのヒンジ部と、
前記電子機器の両側端部に設けられ、該電子機器を支持する円弧状に湾曲した腕状保持板と、
前記システムラックの前支柱に設けられ、該腕状保持板を支持し案内するガイド部材と、
前記ラック固定用ブラケットを前記システムラックの前支柱に固定するための固定用部材とを備え、
該固定用部材の左右何れか一方を解除し、該固定用部材により固定されている側の前記ヒンジ部により前記電子機器を回動させて、前記システムラックに対する該電子機器の水平角度を設定することを特徴とする請求項１に記載のラックマウント。
【請求項３】
前記パン機構が、さらに前記水平角度を固定するための角度調整ストッパーを備え、前記腕状保持板には該ストッパーが係合するストッパー溝を等間隔に設け、前記固定部材の解除側の該ストッパー溝から前記電子機器を所望の水平角とするストッパー溝を選択し、前記ストッパーを該ストッパー溝に係合させることにより、前記システムラックに対する前記電子機器の水平角を設定することを特徴とする請求項２に記載のラックマウント。
【請求項４】
前記腕状保持板の端部に前記水平角の最大値を設定する係止片が設けられ、該係止片が前記ガイド部材に係止することを特徴とする請求項２又は３に記載のラックマウント。
【請求項５】
前記前支柱の前面にスペーサ部材を設けて前記電子機器を前方に突出させることを特徴とする請求項１〜４の何れかに記載のラックマウント。
【請求項６】
請求項１〜５の何れかに記載のラックマウントを電子機器が付帯し、該電子機器に取り付けられた該ラックマウントをシステムラックに装着することによって、前記パン機構により該電子機器を水平方向に回動可能としたことを特徴とするラックマウントを付帯する電子機器。
【発明の詳細な説明】
【技術分野】
【０００１】
本発明は、システムラックに電子機器を搭載するためのラックマウント及びそのラックマウントを付帯する電子機器に関し、詳しくは液晶ディスプレイ等をモニタ用として使用する際に、その表示画面を任意の水平角度に設定することができるラックマウントであり、そのラックマウントを付帯する電子機器に関するものである。
【背景技術】
【０００２】
近年、液晶ディスプレイは広く利用され、テレビ中継などの中継車内のモニタ用としても使用されている。液晶ディスプレイは、表示画面の大型化と軽量化が可能であるといった利点があるものの比較的視野角が狭いという欠点があり、殊に、中継車内の調整室のスペースは狭く、液晶ディスプレイが操作者に近接して配置され、その表示画面と操作者とのなす角度が鋭角になり表示画面が見難くなるといった欠点があった。
【０００３】
図６（ａ），（ｂ）は、従来の液晶ディスプレイによる液晶パネルを示し、液晶パネル１が枠体２に複数個配列されて一体として箱体３内に設けられ、箱体３の側端部にチルト機構が設けられている。箱体３はシステムラックの前支柱に搭載するための耳部４が設けられている。液晶パネル１の表示画面は、チルト機構により枠体２の横方向中心線Ｃａを基準としてチルト角Ｑａ，Ｑｂの範囲で回動させることができる。この液晶パネルは、チルト機構によりチルト角（垂直方向の角度）を調整することができた（例えば、特許文献１参照）。
【０００４】
【特許文献１】特開２００２−２５０９１０号公報（明細書全文，図面全図）
【発明の開示】
【発明が解決しようとする課題】
【０００５】
従来例として説明した液晶パネルは、複数個が横方向に配列し一体となったものであり、チルト角の調整は可能であったが、水平方向に回動（パン）させることができないし、当然、個々の液晶パネルをパンさせることができなかった。このような液晶ディスプレイによるモニタは、従来は比較的小型のものが対象であり、システムラックに搭載する液晶ディスプレイをパンさせる必要がなかったが、現在では比較的大型の液晶ディスプレイを複数個配列して使用され始めており、チルト角の調整のみでは液晶ディスプレイの画面が見難いといった問題があった。
【０００６】
殊に、テレビ中継車などの狭い調整室内で撮影された映像を監視したり編集したりする際に、液晶ディスプレイは視野角が狭いこともあって、操作者から離れた位置に設置される液晶ディスプレイは、操作者と画面とがなす角度が鋭角になり、操作者の位置では視野角から外れて見難くなるといった欠点があった。仮に、視野角が改善された液晶ディスプレイであっても液晶ディスプレイの画面と操作者とのなす角度が鋭角になると、画面が見づらくなる欠点があった。また、液晶ディスプレイの表示面は平坦であり、画面の発光輝度にも限界があり、中継車内の表示灯等が画面に写り込み易いといった欠点もあった。
【０００７】
なお、液晶ディスプレイは、制御用タッチパネルとしても利用されており、システムラックに搭載される液晶ディスプレイにおいても単なるモニタ用としてだけでなく、制御用タッチパネルとしても利用されており、このような用途においても同様に視野角等に起因する問題があり、操作者が画面を視認し易く操作し易い位置に調整し得ることが望まれている。
【０００８】
本発明は、上記課題に鑑みてなされたものであり、液晶ディスプレイ等の電子機器の水平方向の角度調整が可能なラックマウントを提供するとともに、ラックマウントを付帯する電子機器を提供することを目的とするものである。
【課題を解決するための手段】
【０００９】
本発明は、上記課題を達成したものであり、請求項１の発明は、システムラックに電子機器を搭載するラックマウントであって、
前記ラックマウントが、前記システムラックの左右両側の前支柱間に前記電子機器を設置するための一対のラック固定用ブラケットと、
該電子機器の側端部の何れかを基準として、該電子機器を水平方向に回動させるパン機構とを備えたことを特徴とするラックマウントである。
なお、電子機器は、液晶ディスプレイ等のフラットな画面を有する表示装置、液晶ディスプレイ等をモニタとして使用するもの、または、液晶ディスプレイ等を制御用タッチパネルとして使用するものが含まれる。
【００１０】
また、請求項２の発明は、前記パン機構が、前記ラック固定用ブラケットに前記電子機器を回動自在に連結するためのヒンジ部と、
前記電子機器の両側端部に設けられ、該電子機器を支持する円弧状に湾曲した腕状保持板と、
前記電子機器の両側端部に設けられ、該電子機器を支持する円弧状に湾曲した腕状保持板と、
前記システムラックの前支柱に設けられ、該腕状保持板を支持し案内するガイド部材と、
前記ラック固定用ブラケットを前記システムラックの前支柱に固定するための固定用部材とを備え、
該固定用部材の左右何れか一方を解除し、該固定用部材により固定されている側の前記ヒンジ部により前記電子機器を回動させて、前記システムラックに対する該電子機器の水平角度を設定することを特徴とする請求項１に記載のラックマウントである。
【００１１】
また、請求項３の発明は、前記パン機構が、さらに前記水平角度を固定するための角度調整ストッパーを備え、前記腕状保持板には該ストッパーが係合するストッパー溝を等間隔に設け、前記固定部材の解除側の該ストッパー溝から前記電子機器を所望の水平角とするストッパー溝を選択し、前記ストッパーを該ストッパー溝に係合させることにより、前記システムラックに対する前記電子機器の水平角を設定することを特徴とする請求項２に記載のラックマウントである。
【００１２】
また、請求項４の発明は、前記腕状保持板の端部に前記水平角の最大値を設定する係止片が設けられ、該係止片が前記ガイド部材に係止することを特徴とする請求項２又は３に記載のラックマウントである。なお、ガイド部材に開口部を設け、係止片を開口部の端縁部に当接させて係止してもよいし、切欠部を設け、係止片を切欠部に当接させて係止してもよい。
【００１３】
また、請求項５の発明は、前記前支柱の前面にスペーサ部材を設けて前記電子機器を前方に突出させることを特徴とする請求項１〜４の何れかに記載のラックマウントである。
【００１４】
また、請求項６の発明は、請求項１〜５の何れかに記載のラックマウントを電子機器が付帯し、該電子機器に取り付けられた該ラックマウントをシステムラックに装着することによって、前記パン機構により該電子機器を水平方向に回動可能としたことを特徴とするラックマウントを付帯する電子機器である。
【発明の効果】
【００１５】
請求項１の発明では、システムラックに電子機器を搭載するラックマウントであって、
前記ラックマウントが、前記システムラックの左右両側の前支柱間に前記電子機器を設置するための一対のラック固定用ブラケットと、
該電子機器の側端部の何れかを基準として、該電子機器を水平方向に回動させるパン機構とを備えたことを特徴とするラックマウントであるので、操作者が視認し易い最適な位置に電子機器を水平方向に回動（パン）させて設定できる利点があり、電子機器の好適な例としては、視野角が比較的狭い液晶ディスプレイであるが、平坦な表示面を有するディスプレイの全てに適用することができるし、液晶ディスプレイを制御用タッチパネルといった制御機器をも対象とする。
【００１６】
また、請求項２の発明では、前記パン機構が、前記ラック固定用ブラケットに前記電子機器を回動自在に連結するためのヒンジ部と、
前記電子機器の両側端部に設けられ、該電子機器を支持する円弧状に湾曲した腕状保持板と、
前記電子機器の両側端部に設けられ、該電子機器を支持する円弧状に湾曲した腕状保持板と、
前記システムラックの前支柱に設けられ、該腕状保持板を支持し案内するガイド部材と、
前記ラック固定用ブラケットを前記システムラックの前支柱に固定するための固定用部材とを備え、
該固定用部材の左右何れか一方を解除し、該固定用部材により固定されている側の前記ヒンジ部により前記電子機器を回動させて、前記システムラックに対する該電子機器の水平角度を設定することを特徴とする請求項１に記載のラックマウントであるので、電子機器の一方の側の固定用部材によるラック固定用ブラケットとシステムラックの前支柱とのロック状態を解除し、他方のロック状態にあるヒンジ部を回転軸中心として電子機器を水平方向に回動（パン）させることができる。また、電子機器の側端部のロック状態を上記とは逆にすることによって、電子機器の反対側をパン方向に回動させることができる。このようなに電子機器にパン機構が備えられたので、中継車などの狭いスペースに多数の電子機器を配列し、操作者が接近して操作する場合であっても電子機器をパンして最適な角度に設定して操作し得る利点がある。殊に、多数配列された電子機器の外側に位置する電子機器をパンすることにより、電子機器の視認性が格段に改善される利点がある。
【００１７】
また、請求項３の発明では、前記パン機構が、さらに前記水平角度を固定するための角度調整ストッパーを備え、前記腕状保持板には該ストッパーが係合するストッパー溝を等間隔に設け、前記固定部材の解除側の該ストッパー角から前記電子機器を所望の水平角とするストッパー溝を選択し、前記ストッパーを該ストッパー溝に係合させることにより、前記システムラックに対する前記電子機器の水平角を設定することを特徴とする請求項２に記載のラックマウントであるので、電子機器を任意の水平角度に設定した後に、角度調整ストッパーを腕状保持板の側壁に設けたストッパー溝群の何れかの溝に挿入することによって、電子機器を任意の水平角を固定することができる。また、腕状保持板は、電子機器の側部を覆っており、ケーブル類が見苦しく露呈することがない利点がある。
【００１８】
また、請求項４の発明では、前記腕状保持板の端部に前記水平角の最大値を設定する係止片が設けられ、該係止片が前記ガイド部材に係止することを特徴とする請求項２又は３に記載のラックマウントであるので、水平角度を最大とした際に係止片がガイド部材に係止されることにより、最大水平角度を設定することができるし、腕状保持板がガイド部材から脱落し、ヒンジ部などが損傷するのを防止することができる利点がある。
【００１９】
また、請求項５の発明では、前記前支柱の前面にスペーサ部材を設けて前記電子機器を前方に突出させることを特徴とする請求項１〜４の何れかに記載のラックマウントであるので、システムラックの全面部から電子機器を前方に突出させることができ、電子機器を横方向に配列した際に、操作者から遠い位置にある電子機器を前方に突出させて、水平方向に回動（パン）させることが可能である利点がある。
【００２０】
また、請求項６の発明では、請求項１〜５の何れかに記載のラックマウントを電子機器が付帯し、該電子機器に取り付けられた該ラックマウントをシステムラックに装着することによって、前記パン機構により該電子機器を水平方向に回動可能としたことを特徴とするラックマウントを付帯する電子機器であるので、電子機器自体に水平方向に回動（パン）可能とするラックマウントを具備することによって、液晶ディスプレイ等の電子機器をシステムラックに装着し、電子機器の左右の何れの側を回転軸中心としてパン方向の水平角度の設定が可能である。
【発明を実施するための最良の形態】
【００２１】
以下、本発明に係るラックマウント及びラックマウントを付帯する電子機器の実施の形態について図面を参照し説明する。なお、図１（ａ）は本実施形態の正面図であり、同図（ｂ）はその側面図である。図２は電子機器を水平方向に回動（パン）させた斜視図であり、図３はその上面図である。図４（ａ）は本実施形態における角度調整ストッパーの断面図であり、同図（ｂ）はヒンジ部の断面図である。図５（ａ），（ｂ）は他の実施形態を示す斜視図である。
【００２２】
本実施形態のラックマウントは、電子機器をシステムラックに搭載するためのものである。この電子機器は、液晶ディスプレイ等のフラットな画面を有する表示装置、液晶ディスプレイ等をモニタとして使用するもの、または、液晶ディスプレイ等を制御用タッチパネルとして使用するものが含まれ、これらを総称して電子機器と称するものとする。図１〜図４を参照し、本実施形態を説明する。
【００２３】
先ず、図１，図２に示すように、電子機器６はラックマウント７によりシステムラック５に搭載されている。ラックマウント７は、主要部材として電子機器６を装着するラック固定用ブラケット８と腕状保持板９とガイド部材１０とを備え、パン機構を備えている。電子機器６のパン機構は、ラック固定用ブラケット８と電子機器６とを接続するヒンジ部１２等から構成されており、腕状保持板９は電子機器６の両側端部に設けられ、電子機器６の裏面内側へ円弧状に湾曲している。
【００２４】
続いて、ラックマウント７の各部分について詳細に説明する。ラック固定用ブラケット８は、ヒンジ部１２により電子機器６の両側端部に接続され、固定部材１１によりラック固定用ブラケット８はシステムラック５の両前支柱に取り付けられる。ラック固定用ブラケット８は、電子機器６の両側にヒンジ部１２を介してそれぞれ接続され、ラック固定用ブラケット８をシステムラック５の前支柱に固定することにより、電子機器６が前支柱間に搭載される。ラック固定用ブラケット８には把持部１３が設けられている。また、固定部材１１は摘み部を有するネジであり、ラック固定用ブラケット８に脱落しないように掛着されている。このようにラック固定用ブラケット８は、固定部材１１のネジをシステムラック５の前支柱のネジ孔に螺合することにより、ラック固定用ブラケット８をシステムラック５の前支柱に固定し、電子機器６をシステムラック５に搭載することができるとともに、電子機器６の両側の固定部材１１のネジの全てを緩めて外すことにより、電子機器６をシステムラック５から抜脱することができる。また、両側のラック固定用ブラケット８に設けられる固定部材１１の一方を緩めて外すことにより、他方の固定されたラック固定用ブラケット８側のヒンジ部１２を回動軸として電子機器６を水平方向に回動（パン）させることができる。
【００２５】
腕状保持板９は円弧状に湾曲しており、電子機器６の両側端部に固定されて裏面側に突出するように設けられる。腕状保持板９の上下端部に折り返し片９ａが設けられ、この折り返し片９ａが設けられることによって、腕状保持板９が滑動し易く構成されている。後述するが、腕状保持板９の折り返し片９ａが接触する対向部分には腕状保持板９の滑りを良好なもとする樹脂シートが設けられている。腕状保持板９は円弧状に湾曲しているが、この湾曲は、ヒンジ部１２の回転軸を中心に電子機器６を回動させた際、電子機器６の他端部が円弧状の軌跡を描くが、この円弧状の軌跡に概ね対応している。また、腕状保持板９には縦方向の開口するストッパー溝９ｂが等間隔に設けられ、ストッパー溝９ｂを利用して電子機器６の任意の水平角度で固定するのに利用される。また、腕状保持板９の端部には、電子機器６の抜脱を防止する係止片９ｃが設けられている。
【００２６】
ガイド部材１０は、湾曲した腕状保持板９を支持する部材であり、腕状保持板９が接触して摺動する部分に耐摩耗性に優れた樹脂シートが接着されている。ガイド部材１０は直角に折り曲げられた前端部１０ａと側端部１０ｂと上端部１０ｃとからなり、前端部１０ａはシステムラック５の前支柱に固定される部分であり、角度調整ストッパー１４が設けられている。側端部１０ｂには電子機器６の廃熱を逃がしたり、腕状保持板９の端部に設けられた係止片９ｃを係止するための開口部１０ｄが設けられている。側端部１０ｂと上端部１０ｃは腕状保持板９を保持し、電子機器６を水平方向に回動させる際の案内する部材であり、それらの内面には腕状保持板９が滑らかに摺動し得るように樹脂シートが接着されている。また、角度調整ストッパー１４は、腕状保持板９の回動をロックし、電子機器６の水平角度を設定するのに用いられる。
【００２７】
図４（ａ）は角度調整ストッパー１４の拡大断面図であり、ガイド部材１０の前端部１０ａにそれぞれ設けられ、角度調整ストッパー１４はその回転軸に適度なトルクが与えられた回動レバー１４ａが設けられ、回動レバー１４ａを腕状保持板９のストッパー溝９ｂに差し込むことにより、腕状保持板９が固定されて、電子機構６を所定の水平角度に設定される。なお、回動レバー１４ａは適度なトルクにより振動等により簡単に外れることがないものが用いられる。また、同図では、腕状保持板９の係止片９ｃが示され、係止片９ｃは開口部１０ｄ内に入り込み、腕状保持板９がさらに前方に回動すると、係止片９ｃが開口部１０ｄの内端部に接触し、それ以上回動するのを阻止し得るように構造となっている。腕状保持板９の端部に係止片９ｃを設けて、腕状保持板９が抜脱し電子機器６の重みでヒンジ部１２に損傷を受けるのを防止している。
【００２８】
また、図４（ｂ）はヒンジ部１２を示し、ヒンジ部１２は、電子機構６の側壁部に固定された腕状保持板９とラック固定用ブラケット８とを連結している。無論、ヒンジ部１２は、電子機構６の側壁部とラック固定用ブラケット８とを連結するようにしてもよい。ヒンジ部１２はその回転軸に圧縮力が加えられたトルクヒンジが用いられている。トルクヒンジを用いることによって、電子機構６の側端部に連結したラック固定用ブラケット８が、容易に回動しないように構成されている。
【００２９】
続いて、本実施形態のラックマウント７による電子機器６の水平方向への回動について、図３を参照し説明する。同図は、電子機器６をパンして水平角度を３０°とした上面図である。同図の実線で示した電子機器６は、システムラック５に平行に設置した初期設置状態を示している。また、一点鎖線で示した電子機器６は、水平角度を３０°に設定したパン状態を示している。初期設置状態において、電子機器６の一方の固定部材１１のネジを弛緩してシステムラック５の前支柱からラック固定用ブラケット８を外し、把持部１３を握り、電子機器６の他方のヒンジ部１２を回転軸として回動させる。電子機器６の側壁部に設けられた腕状保持板９は、ガイド部材１０の上端部１０ｃ内面に接触して摺動し引き出され、所望の水平角度（３０°）とする。続いて、図４（ａ）に示した角度調整ストッパー１４の回動レバー１４ａを腕状保持板９のストッパー溝９ｂに差し込みロック状態とし、電子機器６の水平角度を設定する。無論、図３とは反対側の固定部材１１のネジを弛緩してラック固定用ブラケット８を外し、電子機器６をパンすることも可能である。このラックマウントは、このように液晶ディスプレイ等の電子機器６を操作者の視認し易い位置に回動させることができるし、電子機器６である液晶ディスプレイをモニタとして利用したり、制御用タッチパネルとして利用した際の操作性を向上させることができる。
【００３０】
次に、本発明の他の実施形態について図５を参照して説明する。図５のラックマウント７は、コ字状のスペーサ部材１５を有する他は上記実施形態と同一である。図５の実施形態は、システムラック５の両前支柱にスペーサ部材１５を取り付けて、このスペーサ部材１５に、電子機器６を装着したラックマウント７を取り付けることにより、電子機器６はシステムラック５の前支柱より前方に突出した状態に搭載することができる。なお、スペーサ部材１５には固定部材１１のネジ孔１５ｂ，１５ｃが設けられ、開口部１５ａが設けられている。また、ガイド部材１０を取り付けるためのネジ孔（図示無し）が設けられている。電子機器６をパンさせる方法は、上記実施形態と同様であるので説明を省略する。
【００３１】
この実施形態では、多数の電子機器６が並列に配置されている場合、操作者から最も離れた両側の位置する電子機器６を、図５の実施形態のスペーサ部材１５により前方に引き出して搭載し、この電子機器６をパン機構により最適な水平角度に設定することによって、液晶ディスプレイ等の電子機器６を操作者とのなす角度が視野角内となる最良の角度に設置することが可能である。また、操作者の前面の電子機器６は、パン機構の存在しないラックマウントを使用し、その両側の電子機器は図１の実施形態のラックマウントを利用することによって、電子機器６が多数並列された場合であっても操作者の好みに応じて視認性の良好なものとすることができる。
【００３２】
また、上記実施形態のラックマウント７を電子機器６が付帯することによって、電子機器６を標準のシステムラック５に搭載する際、電子機器６を任意の水平角度に設定できる利点がある。
【産業上の利用可能性】
【００３３】
本発明の活用例としては、テレビ中継局などの中継車内に設置する液晶ディスプレイ等のモニタのラックマウントとして用いることができる。
【図面の簡単な説明】
【００３４】
【図１】（ａ）は本実施形態の正面図であり、同図（ｂ）はその側面図である。
【図２】図２は電子機器をパン方向に回動させて斜視図であり、
【図３】図３はその上面図である。
【図４】図４（ａ）は本実施形態の角度調整ストッパーの断面図であり、同図（ｂ）はヒンジ部の要部断面図である。
【図５】図５（ａ），（ｂ）は他の実施形態を示す斜視図である。
【図６】従来のチルト角調整機構を備える液晶パネルに関し、（ａ）はその正面図、（ｂ）はその側面図である。
【符号の説明】
【００３５】
５  システムラック
６  電子機器
７  ラックマウント
８  ラック固定用ブラケット
９  腕状保持板
９ａ  折り返し片
９ｂ  ストッパー溝
９ｃ  係止片
１０  ガイド部材
１０ａ  前端部
１０ｂ  側端部
１０ｃ  上端部
１０ｄ  開口部
１１  固定部材
１２  ヒンジ部
１３  把持部
１４  角度調整ストッパー
１４ａ  回動レバー
１５  スペーサ部材
【図１】
2006332484.tif 000003
【図２】
2006332484.tif 000004
【図３】
2006332484.tif 000005
【図４】
2006332484.tif 000006
【図５】
2006332484.tif 000007
【図６】
2006332484.tif 000008